(57)【要約】      （修正有）【課題】簡単にコーンバーを掛けると共に、ＬＥＤライトなどの発光装置を装着することができて安全注意を示す標識具を提供する。【解決手段】前後一対の立板組１０及び該立板組の外側面に装着される標識板２０を有し、その内、該立板組は、プラスチック射出成型の２つの立板１１であり、ヒンジ部材３０を介して互いに枢設され、該各立板の上縁部両端にそれぞれホックが設けられると共に、上縁部両側にそれぞれＬＥＤライトなどの発光装置を装着するためのライト穴が形成される。【選択図】図１
0003177554.tif 000002
【実用新案登録請求の範囲】
【請求項１】
それぞれ上縁部の両端部にホックが設けられると共に、上縁部両側にそれぞれヒンジ部材を介して互いに枢設される、プラスチック射出成型の前後一対の立板組と、
前記立板組の外側面に装着される標識板を有することを特徴とする標識具。
【請求項２】
前記立板組は、前立板及び後立板を備え、該前立板及び後立板の上縁部両側にそれぞれ分割ライト穴が形成され、該前立板の分割ライト穴が後立板の分割ライト穴と対応してライト穴を構成することを特徴とする請求項１に記載の標識具。
【請求項３】
前記各分割ライト穴は、上部に上段穴部が形成され、下部に該上段穴部の内径より大きい下段穴部が形成され、且つ、該上段穴部と下段穴部との隣接箇所に係合縁部が形成されることを特徴とする請求項２に記載の標識具。
【請求項４】
前記立板組一側のヒンジ部材は、前立板の上縁部に１つの介在軸筒が突設され、後立板の上縁部における該介在軸筒の両側と対応する箇所に２つの脇軸筒が間隔をおいて突設され、軸体が該介在軸筒及び２つの脇軸筒を貫設して前立板及び後立板を枢設することを特徴とする請求項１乃至３のうちいずれか１項に記載の標識具。
【請求項５】
前記立板組他側のヒンジ部材は、前立板の上縁部に２つの脇軸筒が間隔をおいて突設され、後立板の上縁部に該脇軸筒の間と対応するように介在軸筒が突設され、軸体が該２つの脇軸筒及び介在軸筒を貫設して前立板及び後立板を枢設することを特徴とする請求項４に記載の標識具。
【請求項６】
前記介在軸筒の内側に制限凸部が設けられると共に、前記脇軸筒の内側に制限凸部が設けられることを特徴とする請求項４または５に記載の標識具。
【請求項７】
前記前立板及び後立板はそれぞれ、上縁部中央に取っ手が設けられ、該取っ手に制限凸部が設けられることを特徴とする請求項１乃至３のうちいずれか１項または請求項６に記載の標識具。
【請求項８】
前記前立板及び後立板における両側縁部にそれぞれ上下方向に沿って複数の重ね穴が間隔をおいて形成され、該各側縁部の複数の重ね穴の間にそれぞれ間隔部が形成され、該複数の間隔部の何れか１つに、該重ね穴の形状と対応する重ね凸部が凸設されることを特徴とする請求項１乃至３のうちいずれか１項または請求項７に記載の標識具。
【請求項９】
前記前立板及び後立板における両側縁部の重ね穴の外側に柱状部が形成され、該各柱状部に反射シートが巻き付くことを特徴とする請求項１乃至３のうちいずれか１項または請求項８に記載の標識具。
【請求項１０】
前記前立板の下縁部内面における、一側に位置決め凹部が凹設され、他側に位置決め凸部が凸設され、
前記後立板の下縁部内面における、一側に位置決め凸部が凸設され、他側に位置決め凹部が凹設されることを特徴とする請求項１乃至３のうちいずれか１項または請求項９に記載の標識具。
【考案の詳細な説明】
【技術分野】
【０００１】
本考案は、道路工事や建築工事などの現場で、進行方向の矢印や安全注意の看板などを示すための標識具に関するものである。
【背景技術】
【０００２】
従来の標識具は、前後一組の表示板を有し、それら表示板の上部にヒンジが取り付けられ、適当な角度を開いて立つまたは折り畳んで収納することができ、さらに、表示板の表面に矢印や注意書きなどを有することから、道路工事や建築工事の現場に置くと、安全注意を高める。
【０００３】
一方、従来の標識具を使用する時、もしかすると、その道路工事や建築工事が相当な範囲を有する場合には、その範囲を囲むために、複数の標識具を並んで配列しなければならなく、或いは、複数のコーンを、間隔をおいて配列し、コーンバーを用いてそれらコーンを２つずつ繋げて工事の範囲を囲む。
【考案の概要】
【考案が解決しようとする課題】
【０００４】
従来の標識具は、矢印または安全注意を示すことができるが、相当な範囲を囲む時、コーンバーを掛けることができないので、コーンを変えなければならず、使用上、非常に不便である。また、夜間工事の場合、従来の標識具にライトが取り付けられないので、衝突するおそれがあった。上述した問題を解決するために、コーンバーやチェーンなどの連結具を掛けられ、自由に所望の範囲を囲むと共に、ライトを設置して夜間でも使え、衝突することを防ぎ、安全性を高める標識具を提供する。
【課題を解決するための手段】
【０００５】
本考案に係る標識具は、それぞれ上縁部の両端部にホックが設けられると共に、上縁部両側にそれぞれヒンジ部材を介して互いに枢設されるように、プラスチック射出成型の前後一対の立板組と、
前記立板組の外側面に装着される標識板とを有するものである。
【０００６】
前記立板組は、前立板及び後立板を備え、該前立板及び後立板の上縁部両側にそれぞれ分割ライト穴が形成され、該前立板の分割ライト穴が後立板の分割ライト穴と対応してライト穴を構成することが好ましい。
【０００７】
前記各分割ライト穴は、上部に上段穴部が形成され、下部に該上段穴部の内径より大きい下段穴部が形成され、且つ、該上段穴部と下段穴部との隣接箇所に係合縁部が形成されても構わない。
【０００８】
前記立板組一側のヒンジ部材は、前立板の上縁部に１つの介在軸筒が突設され、後立板の上縁部における該介在軸筒の両側と対応する箇所に２つの脇軸筒が間隔をおいて突設され、軸体が該介在軸筒及び２つの脇軸筒を貫設して前立板及び後立板を枢設することが好ましい。
【０００９】
前記立板組他側のヒンジ部材は、前立板の上縁部に２つの脇軸筒が間隔をおいて突設され、後立板の上縁部に該脇軸筒の間と対応するとうに介在軸筒が突設され、軸体が該２つの脇軸筒及び介在軸筒を貫設して前立板及び後立板を枢設することが好ましい。
【００１０】
前記介在軸筒の内側に制限凸部が設けられると共に、前記脇軸筒の内側に制限凸部が設けられてもよい。
【００１１】
前記前立板及び後立板はそれぞれ、上縁部中央に取っ手が設けられ、該取っ手に制限凸部が設けられてもよい。
【００１２】
前記前立板及び後立板における両側縁部にそれぞれ上下方向に沿って複数の重ね穴が間隔をおいて形成され、該各側縁部の複数の重ね穴の間にそれぞれ間隔部が形成され、該複数の間隔部の何れか１つに、該重ね穴の形状と対応する重ね凸部が凸設されることが好ましい。
【００１３】
前記前立板及び後立板における両側縁部の重ね穴の外側に柱状部が形成され、該各柱状部に反射シートが巻き付くことが好ましい。
【００１４】
前記前立板の下縁部内面における、一側に位置決め凹部が凹設され、他側に位置決め凸部が凸設され、
前記後立板の下縁部内面における、一側に位置決め凸部が凸設され、他側に位置決め凹部が凹設されることが好ましい。
【考案の効果】
【００１５】
本考案に係る標識具は、使用の時、前立板及び後立板の上縁部両端にそれぞれホックが設けられることから、コーンバーを簡単に掛け、工事範囲が広がっても囲まれ、同時に、標識板により進行方向の矢印や通行禁止などの注意書きを示すこともできる。また、その立板組にライト穴が形成されることから、ＬＥＤライトなどの発光明装置を装着してもよく、昼間工事でも夜間工事しでも安全注意を示すことができ、さらに、その立板組のヒンジ部材の軸筒内側に制限凸部が設けられることから、ヒンジ部材により立板を枢動して開いても適当な角度に展開させ、安定に放置することができる。
【００１６】
一方、本考案に係る標識具を使用してない時、ヒンジ部材により、立板組を折り畳んで収納することができると共に、上側の標識具の重ね穴に下側の標識具の重ね凸部を受け入れると、その折り畳んだ標識具を幾つ重ねても安定に放置することができる。
【図面の簡単な説明】
【００１７】
【図１】本考案に係る標識具の斜視図である。
【図２】本考案に係る標識具の分解斜視図である。
【図３】本考案に係る標識具の部分拡大分解斜視図である。
【図４】本考案に係る標識具においてＬＥＤライトをライト穴に装着する方法を説明するための部分拡大視斜視図である。
【図５】本考案に係る標識具においてコーンバーを２つの標識具のホックに掛けた状態を示す斜視図である。
【図６】本考案に係る標識具の重ね方法を説明するための部分断面図である。
【考案を実施するための形態】
【００１８】
以下、添付図面を参照して本考案の好適な実施の形態を詳細に説明する。なお、下記実施例は、本考案の好適な実施の形態を示したものにすぎず、本考案の技術的範囲は、下記実施例そのものに何ら限定されるものではない。
【００１９】
図１に示すように、本考案に係る標識具は、前後一対の立板組１０及び標識板２０を有し、その内、それら立板組１０の上縁部両側にそれぞれヒンジ部材３０を介して互いに枢設され、自由に開いて置く又は折り畳んで収納することができる。なお、その立板組１０は、２つの立板１１を備え、前後位置によって、前立板１０１及び後立板１０２と呼んでも構わない。
【００２０】
図２に示すように、前記各立板１１は、左右横長の矩形を呈し、プラスチック射出成型の板体であり、上縁部の両端近傍にそれぞれ凹みが形成して端部に中央方向に向かっているホック１１０が設けられ、上縁部中央に取っ手１１１が設けられ、上縁部における該取っ手１１１に両側にそれぞれ分割ライト穴１１２が形成され、上縁部における該分割ライト穴１１２とホック１１０との間にそれぞれ前記ヒンジ部材３０が設けられ、上縁部におけるヒンジ部材３０の下側に複数の自発光シート１１３が貼りつけられる。また、図１及び図２に示すように、前記２つの取っ手１１１にそれぞれ制限凸部１１１０が設けられてもよく、その２つの立板１１を開いて立てる時、該取っ手１１１の制限凸部１１１０が互いに当接することから、それら立板１１との間に所定の角度を制限することができる。
【００２１】
図３に示すように、前記立板１１の分割ライト穴１１２は、内径が異なる二段式の穴であり、上部に上段穴部１１２０が形成され、下部に該上段穴部１１２０の内径より大きい下段穴部１１２１が形成され、且つ、該上段穴部１１２０と下段穴部１１２１との隣接箇所に係合縁部１１２２が形成され、それによれば、その２つの立板１１が枢設されている時、それら立板１１の分割ライト穴１１２が互いに対応して円形のライト穴（図４の如く）を構成すると共に、円形の係合縁部１１２２を形成する。
【００２２】
図４に示すように、本考案に係る標識具において、その２つの立板１１から構成したライト穴を有することから、ＬＥＤライト５０やランプなどの発光装置を装着してもよく、昼間工事でも夜間工事しでも安全注意を示すことができる。ここでは、ＬＥＤライト５０の装着方法を説明する。そのＬＥＤライト５０は、上部にＬＥＤ電球５１が設けられ、下部に挿設柱５２が設けられ、該挿設柱５２の外周面の反対側にそれぞれ係合ブロック５３が凸設され、ＬＥＤライト５０を標識具のライト穴に装着する時、先ず、挿設柱５２の係合ブロック５３が両立板１１の間の隙間と対応しながらライト穴に挿入して、そして、ＬＥＤライト５０を回転して係合ブロック５３をライト穴の係合縁部１１２２に係合させると、ＬＥＤライト５０の装着が完成する。
【００２３】
図２及び図３に示すように、前記ヒンジ部材３０は、タイプが異なる２つを有してそれぞれ取っ手１１１の両側に設けられ、その内、一側のヒンジ部材３０は、前立板１０１の上縁部に１つの介在軸筒３１が突設され、後立板１０２の上縁部における該介在軸筒３１の両側と対応する箇所に２つの脇軸筒３２が間隔をおいて突設され、軸体３３が該介在軸筒３１及び２つの脇軸筒３２を貫設し、また、該軸体３３の一端にヘッドが設けられ、他端にネット３４が取り付け、ヘッドとネット３４との間にそれら脇軸筒３２及び介在軸筒３１を制限して互いに分離しないように、前立板１０１及び後立板１０２を枢設する。
【００２４】
尚、前記介在軸筒３１の内側に制限凸部３１０が設けられ、前記脇軸筒３２の内側に制限凸部３２０が設けられることが好ましく、それら立板１１を開いて立てる時、前立板１０１の介在軸筒３１の制限凸部３１０が後立板１０２の上縁部に当接すると共に、後立板１０２の脇軸筒３２の制限凸部３２０が前立板１０１の上縁部に当接することから、前立板１０１と後立板１０２との間に適当な角度に制限して開きすぎないように直立させる。
【００２５】
一方、他側のヒンジ部材３０は、殆ど前記ヒンジ部材３０と同一であるが、前立板１０１の上縁部に２つの脇軸筒３２が間隔をおいて突設され、後立板１０２の上縁部に該脇軸筒３２の間と対応するとうに介在軸筒３１が突設され、軸体３３が該２つの脇軸筒３２及び介在軸筒３１を貫設して末端にネット３４が取り付けられるという点において異なる。このヒンジ部材３０における脇軸筒３２及び介在軸筒３１にも制限凸部３２０、３１０が設けられ、操作方法が上述したように行われるので、ここでの説明を省略する。
【００２６】
さらに、前記立板１１は、両側縁部にそれぞれ上下方向に沿って複数の重ね穴１１４が間隔をおいて形成され、両側縁部における該重ね穴１１４の外側に柱状部１１５が形成され、該各柱状部１１５に反射シート１１３が巻き付かれ、該各側縁部における複数の重ね穴１１４の間にそれぞれ間隔部が形成され、該複数の間隔部の何れか１つに、該重ね穴１１４の形状と対応する重ね凸部１１６が凸設され、下縁部の内面一側に位置決め凹部１１７が凹設され、下縁部の内面他側に位置決め凸部１１８が凸設される。
【００２７】
尚、前立板１０１の位置決め凹部１１７が後立板１０２の位置決め凸部１１８と対応するように形成され、前立板１０１の位置決め凸部１１８が後立板１０２の位置決め凹部１１７と対応するように設けられることから、前立板１０１と後立板１０２を折り畳む時、それら位置決め凸部１１８が対応する位置決め凹部１１７に入り込まれるので、標識具を安定に折り畳むことができる。
【００２８】
前記標識板２０は、矢印や注意書きなどの標識を有し、螺合手段により、立板１１の外側面に装着される。その標識板２０の装着方法が制限されておらず、粘着手段や、溶接手段などでもよく、標識板２０を立板１１の外側面に装着すればよい。前記立板組１０の各立板１１の中央部に、板体の重さを減少するための４つの貫通孔が形成されても構わない。
【００２９】
図１に示すように、本考案に係る標識具を使用する時、その立板組１０の立板１１を開いて、道路工事や建築工事などの現場に放置すると、進行方向や安全注意などの標識を示すことができる。また、立板組１０のヒンジ部材３０に制限凸部３１０、３２０が設けられることから、ヒンジ部材３０により立板１１を枢動して開いても適当な角度に展開させ、開き過ぎて倒れることはない。また、その立板組１０の立板１１はそれぞれ、プラスチック射出成型のものであり、丈夫で既定の重さを有するので、風が吹いても安定したまま放置できる。
【００３０】
図５に示すように、本考案に係る標識具において、道路工事や建築工事が相当な範囲を有する場合には、その範囲を囲むために、複数の標識具を、間隔をおいて配列して、隣り合う２つの標識具の対応するホック１１０にコーンバー６０を掛けて、工事範囲が広がっても簡単に囲まれ、その同時、進行方向の矢印や通行禁止などの注意書きを示すこともでき、配置する標識具の数も減少する。
【００３１】
さらに、本考案に係る標識具を使用してない時に、ヒンジ部材３０により、立板組１０の立板１１を折り畳んで収納することができ、その折り畳んだ標識具を複数重ねて放置できる。図６に示すように、その複数の標識具を重ねる方法は、上側の標識具が下側の標識具と反対方向に重ねて、即ち、上側の標識具の上縁部が下側の標識具の下縁部と対応するように重ねて、また、上側の標識具の重ね穴１１４に下側の標識具の重ね凸部１１６を係合すると、上下の両標識具を位置決めて互いにずれないように重ねることができ、幾つ重ねても安定に放置することができる。
【産業上の利用可能性】
【００３２】
本考案は上記の構成を有し、その立板組の前立板及び後立板は、同一構造を有するものであり、前立板と後立板を組み合わせる時に、前立板または後立板を１８０度に回転して互いに面するように枢設するだけで良いため、同一の鋳型で作られ、製造上、非常に便利であり、生産コストも節約できる。
【符号の説明】
【００３３】
１０  立板組
１０１  前立板
１０２  後立板
１１  立板
１１０  ホック
１１１  取っ手
１１１０  制限凸部
１１２  分割ライト穴
１１２０  上段穴部
１１２１  下段穴部
１１２２  係合縁部
１１３  自発光シート
１１４  重ね穴
１１５  柱状部
１１６  重ね凸部
１１７  位置決め凹部
１１８  位置決め凸部
２０  標識板
３０  ヒンジ部材
３１  介在軸筒
３１０  制限凸部
３２  脇軸筒
３２０  制限凸部
３３  軸体
３４  ネット
５０  ＬＥＤライト
５１  ＬＥＤ電球
５２  挿設柱
５３  係合ブロック
６０  コーンバー
【図１】
0003177554.tif 000003
【図２】
0003177554.tif 000004
【図３】
0003177554.tif 000005
【図４】
0003177554.tif 000006
【図５】
0003177554.tif 000007
【図６】
0003177554.tif 000008